(57)【特許請求の範囲】
【請求項１】
メタロセン触媒によって重合された直鎖状低密度ポリエチレンを主ポリマーとして含有し、少なくとも一方の面の表面粗さ（Ｒａ）が０．１μｍ以上０．２μｍ以下である連棟ハウス谷間用シート。
【請求項２】
分岐状低密度ポリエチレンを副ポリマーとして含有する請求項１に記載の連棟ハウス谷間用シート。
【請求項３】
耐候剤を含む請求項１又は請求項２に記載の連棟ハウス谷間用シート。
【請求項４】
平均厚さが５００μｍ以上１２００μｍ以下である請求項１、請求項２又は請求項３に記載の連棟ハウス谷間用シート。
【請求項５】
全光線透過率（Ｔｔ）が８５％以上で、ヘイズ値が５０％以下である請求項１から請求項４のいずれか１項に記載の連棟ハウス谷間用シート。
【請求項６】
曲げ弾性率が１００ＭＰａ以上１５０ＭＰａ以下である請求項１から請求項５のいずれか１項に記載の連棟ハウス谷間用シート。
【請求項７】
上記直鎖状低密度ポリエチレンの密度が０．９０ｇ／ｃｍ３以上０．９４ｇ／ｃｍ３以下である請求項１から請求項６のいずれか１項に記載の連棟ハウス谷間用シート。
【請求項８】
請求項１から請求項７のいずれか１項に記載の連棟ハウス谷間用シートを固定部材を用いて連棟ハウスに敷設する連棟ハウス谷間用シート敷設構造。
【発明の詳細な説明】
【技術分野】
【０００１】
本発明は、農作物の栽培用ハウス等として用いられる連棟ハウスの谷間に敷設される連棟ハウス谷間用シート及び敷設構造に関する。
【背景技術】
【０００２】
今日、果実、野菜、花等の促進栽培用として、骨組み用のフレームを有し、フレームをガラス板やビニール等で覆って内部の温度を高めた農業用ハウスが用いられている。かかる農業用ハウスは、ある程度の強度を確保しつつ専有面積を広くするため、一般的には、比較的長い単一棟のハウスを並列に隣接させて連棟ハウスとする場合が多い。
【０００３】
このような連棟ハウスの各棟間の谷間には、通常、降雨により流れ込んでくる雨水を排出するための排水用樋が設けられている。かかる樋としては、従来から、ブリキやトタン製のものが使用されている。しかし、このような樋によると、樋によって太陽光が遮られた部分に影ができ、ハウス内に満遍なく太陽光を取り込むことができなかった。また、このような樋を設置するための取付け作業も容易ではなかった。
【０００４】
かかる弊害を回避するため、現在では、エチレン−酢酸ビニルコポリマーよりなるシート材等が発案されている（実公昭６２−９７９５号公報参照）。
【０００５】
このようなシート材は、谷間の一端から他端にかけて敷設することにより、このシート材上に流れ込んでくる雨水を両端から好適に排水することができる。また、かかるシート材は、高い光線透過性を有しているので太陽光を十分に透過させることができ、ひいてはハウス内に満遍なく太陽光を取り込むことができる。さらに、かかるシート材は、谷間に容易に敷設することができる。しかしながら、このようなシート材は、３〜５年程度使用すると経年劣化により破れ等が生じる場合があり、耐候性として不十分な面があった。
【先行技術文献】
【特許文献】
【０００６】
【特許文献１】実公昭６２−９７９５号公報
【発明の概要】
【発明が解決しようとする課題】
【０００７】
本発明はこれらの不都合に鑑みてなされたものであり、高い光線透過性、敷設容易性等の基本性能を保持しつつ、優れた耐候性を有する連棟ハウス谷間用シート及び敷設構造の提供を目的とするものである。
【課題を解決するための手段】
【０００８】
上記課題を解決するためになされた発明は、
メタロセン触媒によって重合された直鎖状低密度ポリエチレンを主ポリマーとして含有し、少なくとも一方の面の表面粗さ（Ｒａ）が０．１μｍ以上０．２μｍ以下である連棟ハウス谷間用シートである。
【０００９】
当該連棟ハウス谷間用シートは、谷間に展開して所定の固定具で固定することで容易に連棟ハウスに敷設することができる。また、当該連棟ハウス谷間用シートは、高い光線透過性を有しているので、太陽光を効率的にハウス内に取り込むことができる。さらに、当該連棟ハウス谷間用シートは、優れた耐候性を有しているので、経年劣化による破れ、破損等を抑制することができ、長く使用することができるとともに、取替え、補修回数等を減らすことによりかかる作業に必要とされる労力を低減させることができる。
【００１０】
当該連棟ハウス谷間用シートは、分岐状低密度ポリエチレンを副ポリマーとして含有するとよい。これにより、成形性を向上させることができる。また、当該連棟ハウス谷間用シートは、柔軟性を高めることができ、復元力を向上させることができる。その結果、当該連棟ハウス谷間用シートは、釘やネジなどを挿通させて連棟ハウスに固定した場合であっても、挿通孔から水漏れを生じるおそれを低減することができる。
【００１１】
当該連棟ハウス谷間用シートは、耐候剤を含んでいるとよい。これにより、耐候性をさらに向上させることができる。
【００１２】
当該連棟ハウス谷間用シートは、平均厚さが５００μｍ以上１２００μｍ以下であるとよい。当該連棟ハウス谷間用シートの平均厚さが上記範囲より小さい場合は、シート強度、耐候性、施工性が劣る場合がある。また、当該連棟ハウス谷間用シートの平均厚さが上記範囲より大きい場合には、コストが上昇するとともに、柔軟性が損なわれるおそれがある。
【００１３】
当該連棟ハウス谷間用シートは、少なくとも一方の面の表面粗さ（Ｒａ）が０．１μｍ以上０．２μｍ以下である。当該連棟ハウス谷間用シートは、通常、非敷設時にはロール状に巻かれた巻回体として保持され、敷設時にこの巻回体を展開させて取り付けられる。当該連棟ハウス谷間用シートは、表面粗さ（Ｒａ）が上記範囲であることにより、巻回体を端部から剥がして展開する際の剥離性を向上させることができ、ひいては敷設容易性をさらに向上させることができる。
【００１４】
当該連棟ハウス谷間用シートは、全光線透過率（Ｔｔ）が８５％以上で、ヘイズ値が５０％以下であるとよい。当該連棟ハウス谷間用シートは、連棟ハウスの谷間に敷設されるものであり、特に雨が降った後等には雨跡が残ることがあり、また夏場等には小さな虫の死骸等が溜まることもある。当該連棟ハウス谷間用シートは、全光線透過率（Ｔｔ）及びヘイズ値が上記範囲であることにより、太陽光を効率的にハウス内に取り込みつつも、ハウス外部から付着した汚れ等の視認性を低下することができる。
【００１５】
当該連棟ハウス谷間用シートは、曲げ弾性率が、１００ＭＰａ以上１５０ＭＰａ以下であるとよい。これにより、敷設容易性及び敷設時の安定性を向上させることができる。
【００１６】
当該連棟ハウス谷間用シートは、上記直鎖状低密度ポリエチレンの密度が０．９０ｇ／ｃｍ３以上０．９４ｇ／ｃｍ３以下であるとよい。これにより、耐衝撃性を向上させるとともに十分な水蒸気バリア性を得ることができる。
【００１７】
また、上記課題を解決するためになされた別の発明は、
当該連棟ハウス谷間用シートを固定部材を用いて連棟ハウスに敷設する連棟ハウス谷間用シート敷設構造である。
【００１８】
当該敷設構造によると、連棟ハウス谷間用シートを容易に敷設することができる。当該敷設構造は、連棟ハウス谷間用シートが高い光線透過性を有しているので、太陽光を効率的にハウス内部に取り込むことができる。さらに、当該敷設構造は、連棟ハウス谷間用シートが優れた耐候性を有しているので、経年劣化による破れ、破損等を抑制することができ、この連棟ハウス谷間用シートを長く使用することができる。また、当該敷設構造によると、連棟ハウス谷間用シートの取替え、補修回数等を減らすことができ、かかる作業に必要とされる労力を低減させることができる。
【００１９】
なお、本発明において、「表面粗さ（Ｒａ）」は算術平均粗さを意味し、「表面粗さ（Ｒｙ）」は最大粗さを意味し、「表面粗さ（Ｒｚ）」は十点平均粗さを意味する。また、「表面粗さ（Ｒａ）」、「表面粗さ（Ｒｙ）」及び「表面粗さ（Ｒａ）」は、ＪＩＳ  Ｂ  ０６０１−１９９４に準じた値である。「全光線透過率（Ｔｔ）」は、ＪＩＳ  Ｋ  ７３６１−１に準じた値である。「ヘイズ値」は、ＪＩＳ  Ｋ  ７１３６、ＪＩＳ  Ｋ  ７３６１−１に準じた値である。「曲げ弾性率」は、ＪＩＳ  Ｋ  ７１７１に準じた値である。
【発明の効果】
【００２０】
以上説明したように、本発明の連棟ハウス谷間用シートは、連棟ハウスの谷間に容易に敷設することができる。また、本発明の連棟ハウス谷間用シートは、長く使用することができるとともに、取替え、補修回数等を減らすことができ、かかる作業に必要とされる労力を低減させることができる。さらに、本発明の連棟ハウス谷間用シート及び敷設構造は、太陽光を効率的にハウス内に取り込むことができる。
【図面の簡単な説明】
【００２１】
【図１】本発明の一実施形態に係る連棟ハウス谷間用シートの敷設状態を示す模式的斜視図である。
【図２】図１の連棟ハウス谷間用シートの敷設構造を示す部分拡大図である。
【図３】実施例の連棟ハウス谷間用シートの光線透過率と時間の関係を示すグラフである。
【図４】比較例の連棟ハウス谷間用シートの光線透過率と時間の関係を示すグラフである。
【発明を実施するための形態】
【００２２】
以下、適宜図面を参照しつつ本発明の実施の形態を詳説する。
【００２３】
図１の連棟ハウス１は、複数の農業用ハウス２を並列に隣接させて連棟ハウスとしたものである。連棟ハウス１の隣接される農業用ハウス２の谷間には、谷間用シート３が敷設されている。連棟ハウス１は、必ずしも一対の農業用ハウス２を隣接させて構成されている必要はなく、３つ又はそれ以上の農業用ハウス２を隣接させて構成されていてもよい。
【００２４】
農業用ハウス２は、複数のフレーム（図示せず）が連結固定されることにより骨組みが形成さる単棟である。農業用ハウス２は、この骨組みの外部をガラス板やビニール等で覆われている。農業用ハウス２は、このようにガラス板やビニール等で覆われていることで内部の温度を一定に高めることができる。
【００２５】
谷間用シート３は、連棟ハウス１の隣接される農業用ハウス２の谷間に敷設される。谷間用シート３は、メタロセン触媒によって重合された直鎖状低密度ポリエチレンを主ポリマーとして形成されている。この直鎖状低密度ポリエチレンは、シングルサイト触媒であるメタロセン触媒を用いて合成されるものである。直鎖状低密度ポリエチレンは、側鎖の分岐が少なく、かつコモノマーの分布が均一であるという特徴を有している。従って、かかる直鎖状低密度ポリエチレンは、分子量分布が狭く、密度が小さい樹脂とすることができ、谷間用シート３に適度な柔軟性を与えることができる。直鎖状低密度ポリエチレンの密度としては、特に限定されないが、０．９０ｇ／ｃｍ３以上０．９４ｇ／ｃｍ３以下であることが好ましく、０．９３ｇ／ｃｍ３以上０．９４ｇ／ｃｍ３以下であることがさらに好ましい。直鎖状低密度ポリエチレンの密度が上記範囲であることにより、耐衝撃性を向上させるとともに十分な水蒸気バリア性を得ることができる。
【００２６】
谷間用シート３は、メタロセン触媒によって重合された直鎖状低密度ポリエチレン単体から形成されたものであってもよく、また適宜他の熱可塑性樹脂を混合して形成されたものであってもよい。
【００２７】
谷間用シート３に混合される熱可塑性樹脂としては、例えば、分岐状低密度ポリプロピレン等の低密度ポリエチレン、中密度ポリエチレン、高密度ポリエチレン等のポリエチレン、ポリプロピレン、ポリスチレン、ポリ塩化ビニル、アクリルニトリル−ブタジエン−スチレン共重合体、アクリル樹脂、ポリビニルアルコール、ポリアミド、ポリウレタン、エチレン酢酸ビニル共重合体、エチレンメチルメタクリルレート共重合体、エチレンアクリル共重合体、各種熱可塑性エラストマー等を挙げることができる。なかでも、谷間用シート３に混合される熱可塑性樹脂としては、分岐状低密度ポリエチレンが好ましい。
【００２８】
当該谷間用シート３は、分岐状低密度ポリエチレンを副ポリマーとして含有することにより、押出機等により製造する場合の成形性を高めることができる。また、当該谷間用シート３は、柔軟性を高めることができ、復元力を向上させることができる。その結果、当該谷間用シート３は、釘やネジなどを挿通させて連棟ハウス１に固定した場合であっても、挿通孔から水漏れを生じるおそれを低減することができる。
【００２９】
分岐状低密度ポリエチレンのメルトフローレート（ＭＦＲ）（ＪＩＳ  Ｋ  ７２１０準拠  １９０℃、２１．１８Ｎ）としては、特に限定されないが、成形性向上の点から、０．２ｇ／１０分以上４．５ｇ／１０分以下であることが好ましく、０．４ｇ／１０分以上３．５ｇ／１０分以下であることがさらに好ましい。
【００３０】
また、分岐状低密度ポリエチレンの密度としては、特に限定されないが、０．９０ｇ／ｃｍ３以上０．９４ｇ／ｃｍ３以下であることが好ましく、０．９１ｇ／ｃｍ３以上０．９３ｇ／ｃｍ３以下であることがさらに好ましい。分岐状低密度ポリエチレンの密度が上記範囲であることによって、ドローダウン性、延伸性等の成形性を安定的に保持することができる。
【００３１】
谷間用シート３に他の熱可塑性樹脂を混合する場合の混合比は、特に限定されないが、メタロセン触媒によって重合された直鎖状低密度ポリエチレンの特性を維持するためには、メタロセン触媒によって重合された直鎖状低密度ポリエチレンの混合比が５０質量％以上であることが好ましく、７０質量％以上であることがさらに好ましい。
【００３２】
谷間用シート３には、必要に応じて各種添加剤が添加されてもよい。かかる添加剤としては、例えば、可塑剤、酸化防止剤や光安定剤等の安定剤、顔料や染料等の着色剤、滑剤、耐電防止剤、難燃剤、発泡剤、充填剤、抗菌・防カビ剤、紫外線遮蔽剤等を挙げることができる。
【００３３】
谷間用シート３は、添加剤として、安定剤や紫外線遮蔽剤等の耐候剤を含んでいることが好ましい。かかる安定剤としては、例えば、ヒンダードアミン系光安定剤を用いることができる。また、紫外線遮蔽剤としては、例えば、トリアジン系紫外線吸収剤、ベンゾフェノン系紫外線吸収剤、ベンゾトリアゾール系紫外線吸収剤等を用いることができる。当該谷間用シート３は、かかる耐候剤を含有することにより、さらに耐候性を高めることができ、その結果、交換、補修等の作業を削減することができる。従って、当該谷間用シート３は、交換、補修等の作業に必要とされる労力を削減することによるコスト削減効果を得ることができる。
【００３４】
谷間用シート３の平均厚さとしては、特に限定されないが、５００μｍ以上１２００μｍ以下であることが好ましく、７００μｍ以上１１００μｍ以下であることがさらに好ましい。当該谷間用シート３の平均厚さが上記範囲より小さい場合は、シート強度、耐候性、施工性が劣る場合がある。また、当該谷間用シート３の平均厚さが上記範囲より大きい場合は、コストが上昇するとともに、柔軟性が損なわれるおそれがある。一方、当該谷間用シート３の平均厚さが上記範囲である場合には、必要な強度を保つことができる。また、当該谷間用シート３は、このような平均厚さに形成されることにより、適度な柔軟性を有し、敷設容易性及び敷設後の安定性を共に向上させることができる。
【００３５】
谷間用シート３の表面粗さ（Ｒａ）としては、特に限定されないが、少なくとも一方の面の表面粗さ（Ｒａ）が０．１μｍ以上０．２μｍ以下であることが好ましい。当該谷間用シート３は、通常、非敷設時にはロール状に巻かれた巻回体として保持され、敷設時にこの巻回体を展開させて取り付けられる。当該谷間用シート３は、表面粗さ（Ｒａ）が上記範囲であることにより、巻回体を端部から剥がして展開する際の剥離性を向上させることができ、ひいては敷設容易性をさらに向上させることができる。
【００３６】
谷間用シート３の表面粗さ（Ｒｚ）としては、特に限定されないが、少なくとも一方の面の表面粗さ（Ｒｚ）が、０．６以上であることが好ましい。当該谷間用シート３は、表面粗さ（Ｒｚ）が上記範囲であることによっても、巻回体を端部から剥がして展開する際の剥離性を向上させることができ、敷設容易性をさらに向上させることができる。
【００３７】
谷間用シート３の全光線透過率（Ｔｔ）としては、特に限定されないが、８５％以上であることが好ましく、９０％以上であることがさらに好ましい。また、谷間用シート３のヘイズ値としては、特に限定されないが、５０％以上であることが好ましく、６０％以上であることがさらに好ましい。当該谷間用シート３は、連棟ハウス１の谷間に敷設されるものであり、特に雨が降った後等には雨跡が残ることがあり、また夏場等には小さな虫の死骸等が溜まることもある。当該谷間用シート３は、全光線透過率（Ｔｔ）及びヘイズ値が上記範囲であることにより、太陽光を効率的にハウス内に取り込みつつも、ハウス外部から付着した汚れ等の視認性を低下することができる。
【００３８】
谷間用シート３の曲げ弾性率としては、特に限定されないが、１００ＭＰａ以上１５０ＭＰａ以下であることが好ましく、１１０ＭＰａ以上１４０ＭＰａ以下であることがさらに好ましい。当該谷間用シート３は、曲げ弾性率が上記範囲であることにより敷設容易性及び敷設時の安定性を向上させることができる。
【００３９】
当該谷間用シート３は、谷間に展開して所定の固定具で連棟ハウス１に固定することにより容易に敷設することができる。また、当該谷間用シート３は、高い光線透過性を有しているので、太陽光を効率的にハウス内に取り込むことができる。さらに、当該谷間用シート３は、優れた耐候性を有しているので、経年劣化による破れ、破損等を抑制することができ、長く使用することができる。従って、当該谷間用シート３は、取替え、補修回数等を減らすことができ、かかる作業に必要とされる労力を低減させることができる。
【００４０】
次に、谷間用シート３の製造方法について説明する。谷間用シート３の製造方法としては、特に限定されないが、例えば、メタロセン触媒によって重合された直鎖状低密度ポリエチレンと分岐状低密度ポリエチレンとを押出機に供給する工程及びかかる直鎖状低密度ポリエチレンと分岐状低密度ポリエチレンとを溶融混練して押出機から押し出す工程を経て製造する空冷インフレーション成型法によることができる。
【００４１】
続いて、図２を参照して、谷間用シート３を連棟ハウス１に敷設する手順について説明する。
【００４２】
まず、谷間用シート３を連棟ハウス１に敷設する際に用いられる部材について説明する。
【００４３】
アーチ用フレーム４は、連棟ハウス１を構成する各単棟である農業用ハウス２の骨組みとして用いられるパイプ材である。アーチ用フレーム４は、農業用ハウス２の屋根の軒棟方向に掛け渡され、軒側端部において接続フレーム５に嵌合される。
【００４４】
接続フレーム５は、底部が直線形状に形成された略Ｕ状のパイプ材である。接続フレーム５は、隣接する農業用ハウス２のアーチ用フレーム４に両端を嵌合することにより、これらのアーチ用フレーム４を連結する。
【００４５】
台座６は、断面略コ字状の板状部材である。台座６は、接続フレーム５の底部上に、谷間の稜線方向と平行に設置される。台座６の長さは、谷間の長さとほぼ同程度とされている。
【００４６】
金具７は、略Ｕ字状の板状部材である。金具７は、台座６の上面側に配設される。金具７は、台座６の長手方向に略等間隔で複数固定される。台座６及び金具７の固定は、台座６が有する挿通孔（図示せず）と金具７が有する挿通孔（図示せず）とを重ね合わせた状態で、これらの挿通孔に固定部材（ボルト）８を挿通し、さらに固定部材９の先端からナットを螺入して固定部材９と螺合させることによって行われる。
【００４７】
一対の支持パイプ８は、金具７の上面に配設される。一対の支持パイプ８は、谷間の稜線方向と平行に配設される。一対の支持パイプ８の長さは、谷間の長さとほぼ同程度とされている。一対の支持パイプ８は、谷間の一端から他端にかけて、金具７に略等間隔で固定される。
【００４８】
谷間用シート３を連棟ハウス１に敷設する手順としては、まず、台座６に金具７が固定されていない状態で、谷間用シート３を台座６の上面に谷間の稜線方向と平行になるように展開する。次に、金具７を谷間用シート３の上に、台座６の長手方向と金具７の長手方向とが垂直になるように重ね合わせる。そして、固定部材９を金具７の挿通孔、谷間用シート３の挿通孔（図示せず）及び台座６の挿通孔に挿通させ、さらに固定部材９の先端（下方先端）からナットを螺入して固定部材９と螺合させる。また、金具７、谷間用シート３及びアーチ用フレーム４をこの順で重ね合わせ、固定部材９を金具７の端部付近に設けられる挿通孔（図示せず）、谷間用シート３の挿通孔（図示せず）及びアーチ用フレーム４の挿通孔（図示せず）に挿通させ、さらに固定部材９の先端（下方先端）からナットを螺入して固定部材９と螺合させる。そして最後に、金具７の上面に一対の支持パイプ８を配設する。
【００４９】
なお、アーチ用フレーム４、台座６及び金具７の挿通孔については、通常、予め設けられているが、谷間用シート３の挿通孔については、予め設けられていてもよく、また固定部材９を挿通させる際に穿たれてもよい。
【００５０】
当該谷間用シート３は、固定部材９を挿通させ、さらに固定部材９とアーチ用フレーム４及び固定部材９と台座６とを連結することにより連棟ハウス１に敷設される。
【００５１】
従って、このような敷設構造によると、谷間用シート３を容易に敷設することができる。当該敷設構造によると、谷間用シート３が高い光線透過性を有しているので、太陽光を効率的にハウス内部に取り込むことができる。さらに、当該敷設構造によると、谷間用シート３が優れた耐候性を有しているので、経年劣化による破れ、破損等を抑制することができ、谷間用シート３を長く使用することができる。また、当該敷設構造によると、谷間用シート３の取替え、補修回数等を減らすことができ、かかる作業に必要とされる労力を低減させることができる。加えて、谷間シート３が副ポリマーとして分岐状低密度ポリエチレンを有している場合、当該敷設構造によると、挿通孔から水漏れを生じるおそれを低減することができる。
【００５２】
なお、本発明の連棟ハウス谷間用シート及び敷設構造は、上記態様の他、種々の変更、改良を施した態様で実施することができる。例えば、当該連棟ハウス谷間用シートは、必ずしも農業用ハウス用として用いられる必要はない。また、当該連棟ハウス谷間用シートは、必ずしも単層シートとして形成される必要はなく、多層構造体として形成されてもよい。当該連棟ハウス谷間用シートが多層構造体として形成される場合、メタロセン触媒によって重合された直鎖状低密度ポリエチレンを主ポリマーとする層の他、エチレン−酢酸ビニルコポリマーを主ポリマーとする層等を有していてもよい。
【００５３】
本発明の敷設構造は、必ずしも連棟ハウス谷間用シートを台座及び金具によって挟持する必要はなく、直接連棟ハウス谷間用シートに釘やネジ等を挿入して連棟ハウスに敷設してもよい。また、本発明の敷設構造は、必ずしも連棟ハウス谷間用シートに所定の挿通孔を設けたうえで固定するものでなくてもよい。
【実施例】
【００５４】
以下、実施例に基づき本発明を詳述するが、この実施例の記載に基づいて本発明が限定的に解釈されるものではない。
【００５５】
［実施例］
主ポリマーとしてメタロセン触媒によって重合された直鎖状低密度ポリエチレン（三井化学（株）製「エボリュー  ＳＰ０５４０」）７５部に対して、副ポリマーとして分岐状低密度ポリエチレン（住友化学（株）製「スミカセン  Ｆ２００」）２５部、ヒンダードアミン系光安定剤及びベンゾフェノン系紫外線吸収剤からなる耐候剤（大日精化工業（株）製「ＭＢ耐候剤  ＰＥ−Ｈ１−６４０１（Ｄ）Ｎ」５部を添加して押出機に供給し、溶融混練して押出しを行うことで谷間用シートを得た。
【００５６】
［比較例］
ポリマーとしてエチレン−酢酸ビニルコポリマー（日本ユニカー（株）「ＮＵＣコポリマー  ＦＶＺＨ−０７３」）を使用した以外は実施例と同様にして谷間用シートを得た。
【００５７】
得られた実施例及び比較例の谷間用シートの引張強度を測定評価した。その結果を下記表１に示す。引張強度の測定は、サンシャインＷ−Ｏ−Ｍ（ＢＰ温度６３℃、スプレーサイクル１２／６０分）にて照射後の引張強度を測定することにより行った。また、引張強度試験は、ＪＩＳ  Ｋ６７８１に準拠して行った。なお、表１において「ｈ」は「時間」を意味し、具体的には、谷間用シート製造後の経過時間を意味する。
【００５８】
【表１】
0005707211.tif 000002
【００５９】
上記表１に示すように、比較例の谷間用シートの引張強度は、０ｈを基準とした場合、破断（Ｍｐａ）、伸び（％）及び伸び残率（％）ともに、比較的顕著に低下している。一方、実施例の谷間用シートの引張強度については、時間の経過とともに低下するという明確な兆候は見られなかった。このことからも、実施例の谷間用シートが優れた耐候性を備えていることが解る。
【００６０】
また、図３及び図４に示すように、実施例及び比較例の谷間用シートは、ともに高い光線透過性を有していることが解る。また、実施例及び比較例の谷間用シートは、高い光線透過性を有するとともに、優れた紫外線遮蔽性を有していることが解る。なお、図３及び図４における横軸は波長を示し、縦軸は光線透過率を示している。また、図３及び図４における「ｈ」は「時間」を意味し、具体的には、谷間用シート製造後の経過時間を意味する。
【００６１】
実施例及び比較例の谷間用シートの表面粗さ及び濡れ性を測定評価した結果を下記表２に示す。
【００６２】
【表２】
0005707211.tif 000003
【００６３】
上記表２に示すように、実施例の谷間用シートは、比較例の谷間用シートと比べて表面粗さが粗くなっている。このことから実施例の谷間用シートは、比較例の谷間用シートよりもロール状に巻かれた巻回体から展開する場合の展開容易性が向上されていることが解る。
【産業上の利用可能性】
【００６４】
以上のように、本発明の連棟ハウス谷間用シートは、敷設容易性、高い光線透過性及び優れた耐候性を有しており、例えば、農作物の栽培用ハウス等として用いられる連棟ハウスの谷間に設置するのに適している。
【符号の説明】
【００６５】
１  連棟ハウス
２  農業用ハウス
３  谷間用シート
４  アーチ用フレーム
５  接続フレーム
６  台座
７  金具
８  支持パイプ
９  固定部材
【図１】
0005707211.tif 000004
【図２】
0005707211.tif 000005
【図３】
0005707211.tif 000006
【図４】
0005707211.tif 000007